(57)【要約】【課題】不正操作を防止することができるサムターンを提供すること。【解決手段】サムターン１２は、回動動作により施錠又は解錠を行うサムターン軸２９と、サムターン軸２９に設けられた従動片３８と係合する第２作動片３６を備えた摘み２６を備えている。第２作動片３６は、摘み２６が押圧かつ回転された際に従動片３８に係合することによりサムターン軸２９を回動させる。また、摘み２６には第１作動片３５が形成されており、ハウジング２１の第１作動片３５側には摘み２６を原回動位置に付勢するトーションスプリングＳＰ２が備えられている。さらに、摘み２６の押圧方向には、摘み２６を非係合位置に付勢するコイルスプリングＳＰ３が備えられる。【選択図】      図４
2005060928.tif 000002
【特許請求の範囲】
【請求項１】
回動動作により施錠又は解錠を行うサムターン軸と、
前記サムターン軸に対して回動可能に支持された摘みと、
前記摘みを前記サムターン軸に対して原回動位置から作用位置に回動させるとき、前記摘みと前記サムターン軸とを係合させ、前記サムターン軸を回動させる係合手段と、
前記摘みを前記作用位置から前記原回動位置側に付勢する付勢手段とを設けたことを特徴とするサムターン。
【請求項２】
回動動作により施錠又は解錠を行うサムターン軸と、
前記サムターン軸に対して回動可能に支持された摘みと、
前記摘みを前記サムターン軸に対して原回動位置から作用位置に回動させるとき、前記摘みと前記サムターン軸とを係合させて前記サムターン軸を回動させる係合手段とを備えたサムターンであって、
前記係合手段は、前記原回動位置において前記摘み及び前記サムターン軸を互いに非係合状態にし、前記摘みが前記原回動位置から予め定めた作用開始位置まで回動した時に、前記摘みと前記サムターン軸とを係合させて前記サムターン軸を前記摘みとともに前記作用位置まで回動させることを特徴とするサムターン。
【請求項３】
請求項１に記載のサムターンにおいて、
前記係合手段は、前記原回動位置において前記摘み及び前記サムターン軸を互いに非係合状態にし、前記係合位置にある摘みを前記原回動位置から予め定めた作用開始位置まで回動した時に、前記摘みと前記サムターン軸とを係合させて前記サムターン軸を前記摘みとともに前記作用位置まで回動させることを特徴とするサムターン。
【請求項４】
回動動作により施錠又は解錠を行うサムターン軸と、
前記サムターン軸に対して回動可能かつ軸線方向に移動可能に支持された摘みと、
前記摘みを前記サムターン軸に対して軸線方向に非係合位置から係合位置に移動させた状態で前記摘みを原回動位置から作用位置に回動させたとき、前記摘みと前記サムターン軸とを係合させ前記サムターン軸を回動させる係合手段と、
前記摘みを前記係合位置から前記非係合位置側に付勢する第１付勢手段と、
前記摘みを前記作用位置から前記原回動位置側に付勢する第２付勢手段と、を備えたことを特徴とするサムターン。
【請求項５】
請求項１〜４のいずれかに記載のサムターンにおいて、
前記サムターン軸は、錠ケースに固定されてハウジングに回転可能に支持され、
前記摘みは、前記ハウジングを介して前記サムターン軸に対して回動可能かつ軸線方向に移動可能に支持され、
前記第１付勢手段は、前記ハウジングに介挿され前記摘みを前記非係合位置側に押圧するコイルスプリングであり、
前記第２付勢手段は、前記ハウジングに介挿され前記摘みを前記原回動位置側に押圧するトーションスプリングであり、
前記係合手段は、前記摘みに設けた作動片と前記サムターンに設けた従動片とからなり、
前記作動片と前記従動片は、前記摘みが前記サムターン軸に対し前記非係合位置にあるとき相対位置が偏倚し、前記係合位置にあるとき相対位置が一致するようにそれぞれ設けられていることを特徴とするサムターン。
【請求項６】
請求項１〜５のいずれか一つに記載のサムターンにおいて、前記サムターン軸には、同サムターン軸が施錠位置及び解錠位置のいずれにあるかを示す表示部が設けられていることを特徴とするサムターン。
【発明の詳細な説明】
【０００１】
【発明の属する技術分野】
本発明は、サムターンに関する。
【０００２】
【従来の技術】
従来より、扉には、摘みを把持して回転させることにより施錠及び解錠を行うサムターンが取り付けられていた。このサムターンとしては、図２２に示すような、回転可能な摘み５２が設けられたサムターン５１が多く利用されていた。前記摘み５２を把持して回転させると、図示しないサムターン軸が所定の角度だけ回転する。そして、サムターン軸の回転により、同軸に連動するデッドボルト５３が側面５４から突出又は退行する。その結果、デットボルト５３は、扉枠側に設けられた凹部に嵌挿又は抜出されて、施錠又は解錠されるようになっている（例えば、特許文献１参照。）。
【０００３】
【特許文献１】
特開２０００−３５６０５４号公報
【０００４】
【発明が解決しようとする課題】
ところが、近年、扉５０に設けられた窓、扉の隙間、又は不正に形成された穴等から、工具等を介入してサムターン５１の摘みを回転させて解錠する不正操作が問題になっている。
【０００５】
本発明の目的は、不正操作を防止することができるサムターンを提供することにある。
【０００６】
【課題を解決するための手段】
上記問題点を解決するために、請求項１に記載の発明は、回動動作により施錠又は解錠を行うサムターン軸と、前記サムターン軸に対して回動可能に支持された摘みと、前記摘みを前記サムターン軸に対して原回動位置から作用位置に回動させるとき、前記摘みと前記サムターン軸とを係合させ、前記サムターン軸を回動させる係合手段と、前記摘みを前記作用位置から前記原回動位置側に付勢する付勢手段とを設けたことを要旨とする。
【０００７】
請求項２に記載の発明は、回動動作により施錠又は解錠を行うサムターン軸と、前記サムターン軸に対して回動可能に支持された摘みと、前記摘みを前記サムターン軸に対して原回動位置から作用位置に回動させるとき、前記摘みと前記サムターン軸とを係合させて前記サムターン軸を回動させる係合手段とを備えたサムターンであって、前記係合手段は、前記原回動位置において前記摘み及び前記サムターン軸を互いに非係合状態にし、前記摘みが前記原回動位置から予め定めた作用開始位置まで回動した時に、前記摘みと前記サムターン軸とを係合させて前記サムターン軸を前記摘みとともに前記作用位置まで回動させることを要旨とする。
【０００８】
請求項３に記載の発明は、請求項１に記載のサムターンにおいて、前記係合手段は、前記原回動位置において前記摘み及び前記サムターン軸を互いに非係合状態にし、前記係合位置にある摘みを前記原回動位置から予め定めた作用開始位置まで回動した時に、前記摘みと前記サムターン軸とを係合させて前記サムターン軸を前記摘みとともに前記作用位置まで回動させることを要旨とする。
【０００９】
請求項４に記載の発明は、回動動作により施錠又は解錠を行うサムターン軸と、前記サムターン軸に対して回動可能かつ軸線方向に移動可能に支持された摘みと、前記摘みを前記サムターン軸に対して軸線方向に非係合位置から係合位置に移動させた状態で前記摘みを原回動位置から作用位置に回動させたとき、前記摘みと前記サムターン軸とを係合させ前記サムターン軸を回動させる係合手段と、前記摘みを前記係合位置から前記非係合位置側に付勢する第１付勢手段と、前記摘みを前記作用位置から前記原回動位置側に付勢する第２付勢手段と、を備えたことを要旨とする。
【００１０】
請求項５に記載の発明は、請求項１〜４のいずれかに記載のサムターンにおいて、前記サムターン軸は、錠ケースに固定されてハウジングに回転可能に支持され、前記摘みは、前記ハウジングを介して前記サムターン軸に対して回動可能かつ軸線方向に移動可能に支持され、前記第１付勢手段は、前記ハウジングに介挿され前記摘みを前記非係合位置側に押圧するコイルスプリングであり、前記第２付勢手段は、前記ハウジングに介挿され前記摘みを前記原回動位置側に押圧するトーションスプリングであり、前記係合手段は、前記摘みに設けた作動片と前記サムターンに設けた従動片とからなり、前記作動片と前記従動片は、前記摘みが前記サムターン軸に対し前記非係合位置にあるとき相対位置が偏倚し、前記係合位置にあるとき相対位置が一致するようにそれぞれ設けられていることを要旨とする。
【００１１】
請求項６に記載の発明は、請求項１〜５のいずれか一つに記載のサムターンにおいて、前記サムターン軸には、同サムターン軸が施錠位置及び解錠位置のいずれにあるかを示す表示部が設けられていることを要旨とする。
【００１２】
（作用）
請求項１に記載の発明によれば、摘みを付勢手段の付勢力に抗して原回動位置から作用位置に回動させると、係合手段は前記摘みと前記サムターン軸とを係合させてサムターン軸を施錠又は解錠のために回動させる。摘みを放すと、同摘みは、付勢手段の付勢力により原回動位置に復帰する。
【００１３】
従って、摘みを原回動位置から作用位置に回動させることによって、はじめてサムターン軸を施錠又は解錠のために回動させることができる。
請求項２に記載の発明によれば、摘みを原回動位置から作用開始位置まで回動させても、サムターン軸は施錠又は解錠ために回動しない。摘みを作用開始位置からさらに回動したとき、サムターン軸は施錠又は解錠ために回動する。
【００１４】
従って、摘みを事前に原回動位置から作用開始位置まで回動させた後に作用位置まで回動させないと、サムターン軸は施錠又は解錠を行うために回動しない。
請求項３に記載の発明によれば、摘みを付勢手段の付勢力に抗して原回動位置から作用位置に回動させると、係合手段は前記摘みと前記サムターン軸とを係合させてサムターン軸を施錠又は解錠のために回動させる。摘みを放すと、同摘みは、付勢手段の付勢力により原回動位置に復帰する。
【００１５】
また、摘みを原回動位置から作用開始位置まで回動させても、サムターン軸は施錠又は解錠ために回動しない。摘みを作用開始位置からさらに回動したとき、サムターン軸は施錠又は解錠ために回動する。
【００１６】
従って、摘みを事前に原回動位置から作用開始位置まで回動させた後に作用位置まで回動させないと、サムターン軸は施錠又は解錠を行うために回動しない。
請求項４に記載の発明によれば、摘みは第１付勢手段の付勢力に抗して軸線方向に非係合位置から係合位置に移動する。係合位置に摘みを移動させた状態で、同摘みを第２付勢手段の付勢力に抗して原回動位置から作用位置に回動させると、係合手段は前記摘みと前記サムターン軸とを係合させてサムターン軸を施錠又は解錠のために回動させる。摘みを放すと、同摘みは、第１付勢手段にて非係合位置に復帰するともに、第２付勢手段にて原回動位置に復帰する。
【００１７】
また、非係合位置にある摘みを、第２付勢手段の付勢力に抗して原回動位置から作用位置に回動させても、係合手段は前記摘みと前記サムターン軸とを係合させない。その結果、サムターン軸は施錠又は解錠のために回動しない。
【００１８】
従って、摘みを係合位置に移動させた後に作用位置に回動させることによって、はじめてサムターン軸を施錠又は解錠のために回動させることができる。
請求項５に記載の発明によれば、摘みをコイルばねの弾性力に抗して軸線方向に非係合位置から係合位置に移動させると、摘みに設けた作動片はサムターン軸に設けた従動片とその相対位置が一致する。
【００１９】
係合位置に摘みを移動させた状態で、同摘みをトーションばねの弾性力に抗して原回動位置から作用位置に回動させると、前記作動片が前記従動片と係合しサムターン軸を施錠又は解錠のために回動させる。
【００２０】
摘みを放すと、同摘みは、コイルばねの弾性力にて非係合位置に復帰するともに、トーションばねの弾性力にて非作用位置に復帰する。
また、非係合位置にある摘みを、トーションばねの弾性力に抗して原回動位置から作用位置に回動させても軸線方向において作動片と従動片の相対位置が偏倚しているため作動片は従動片と係合しない。その結果、サムターン軸は施錠又は解錠のために回動しない。
【００２１】
請求項６に記載の発明によれば、サムターン軸には、施錠位置及び解錠位置のいずれにあるかを示す表示部が設けられているので、サムターンが施錠状態及び解錠状態のいずれにあるのかを、外部から判断することができる。
【００２２】
【発明の実施の形態】
（第１の実施形態）
以下、本発明を具体化したサムターンの第１の実施形態を図１〜図１１にしたがって説明する。
【００２３】
図１は、扉１０に取り付けられたサムターン１２の斜視図を示す。図１において、扉１０には錠ケース１１（図２参照）が装着され、その錠ケース１１には、サムターン１２、デットボルト１３が設けられている。サムターン１２は、扉１０の室内側になるように取り付けられる。また、錠ケース１１内には、デットボルト１３を進退させる図示しないデットボルト駆動機構が設けられている。
【００２４】
デットボルト１３は、サムターン１２に設けられた摘み２６を扉１０側に押圧するとともに、反時計回り又は時計回りに回転させることにより進退するようになっている。このデットボルト１３は、扉１０の凹部（図示せず）に嵌挿又は抜き出されることにより、扉１０を施錠又は解錠状態にする。
【００２５】
サムターン１２は、図２に示すように、ハウジング２１、固定金具１４、台座２３、ストッパ２４、第１係止用Ｃリング２５、摘み２６、第２係止用Ｃリング２７、従動用Ｃリング２８、サムターン軸２９、スプリングＳＰ１、トーションスプリングＳＰ２、コイルスプリングＳＰ３を備えている。
【００２６】
ハウジング２１は、図５及び図６に示すように、大径部２１ａ、その大径部２１ａより小径の中径部２１ｂ、その中径部２１ｂより小径の小径部２１ｃ、及び、その小径部２１ｃと同じ外径のフランジ部２１ｄが形成されている。そして、中径部２１ｂと小径部２１ｃとの間には、環状の第１及び第２収容溝２１ｅ，２１ｆが形成され、小径部２１ｃとフランジ部２１ｄとの間には、環状の第３収容溝２１ｇが形成されている。
【００２７】
大径部２１ａの基端外周部には、一対の突起３０が形成され、その一対の突起３０に貫通孔３０ａがそれぞれ形成されている。大径部２１ａは、その一対の突起３０が、図３に示すように、錠ケース１１の一側に形成した嵌挿穴１１ａ（図２参照）を介して、同錠ケース１１内（図３では図示せず）に嵌挿されるようになっている。錠ケース１１に嵌挿された一対の突起３０に形成された貫通孔３０ａには、図２に示す、棒状の固定金具１４が錠ケース１１の一側から嵌挿される。これによって、大径部２１ａ、即ちハウジング２１は錠ケース１１に対して固定される。
【００２８】
大径部２１ａの基端外周部には、台座２３が嵌挿されている。台座２３は、外形が円錐台形をなした筒体であって、その基端面が扉１０の室内側化粧板に当接されるようになっている。台座２３の基端開口部には、内側へ屈曲させて形成した環状のバネ受け部２３ａが設けられ、大径部２１ａの外周面に摺動可能に支持されている。
【００２９】
前記中径部２１ｂと小径部２１ｃとの間に形成した環状の第１収容溝２１ｅには、ストッパ２４が配設されている。図７に示すように、ストッパ２４は、環状部３１、その環状部３１に形成した第１回動規制片３２、第２回動規制片３３を有している。環状部３１は、その内径が前記小径部２１ｃの外径より若干大きく、ハウジング２１の先端側から第１収容溝２１ｅに嵌挿可能になっている。そして、第１収容溝２１ｅにストッパ２４を配置した状態で、同ストッパ２４の先端側に図７に示す第１係止用Ｃリング２５を配置させることによって、ストッパ２４は第１収容溝２１ｅから先端側に外れないようになっている。
【００３０】
第１回動規制片３２と第２回動規制片３３は、環状部３１を挟んで相対向する位置に形成されている。第１回動規制片３２は、基端部に張り出し３２ａを有し、張り出し３２ａから前記大径部２１ａ側に屈曲させて間隔保持部３２ｂが形成され、その間隔保持部３２ｂから外方に屈曲させて係止部３２ｃが形成されている。第２回動規制片３３は、基端部に張り出し３３ａを有し、張り出し３３ａから大径部２１ａ側に屈曲させて間隔保持部３３ｂが形成され、その間隔保持部３３ｂから外方に屈曲させて係止部３３ｃが形成されている。
【００３１】
そして、ストッパ２４が第１係止用Ｃリング２５にて係止されている状態で、第１及び第２回動規制片３２，３３の係止部３２ｃ，３３ｃの基端側の外面が前記大径部２１ａと中径部２１ｂとの間の段差面２１ｈに当接し、ストッパ２４はハウジング２１に対して軸線方向の移動が不能に支持される。また、係止部３２ｃ，３３ｃの基端側の側面が、前記段差面２１ｈに形成した係止部２１ｉに当接し、ストッパ２４はハウジング２１に対して回動不能に支持される。
【００３２】
このとき、係止部３２ｃ，３３ｃの先端側は、大径部２１ａの外周面より外方に突出する。この係止部３２ｃ，３３ｃの先端と、前記台座２３のバネ受け部２３ａとの間の大径部２１ａに、図３に示すように、スプリングＳＰ１が配設される。これによって、前記台座２３は、スプリングＳＰ１によって常に大径部２１ａの突起３０側に弾性力が付与されている。
【００３３】
前記第１回動規制片３２の張り出し３２ａには、その両側を逆テーパ状に形成して、左側ストッパ面３４ａ及び右側ストッパ面３４ｂを形成している。そして、本実施形態では、図１１に示すように、環状部３１の中心軸を中心に第２回動規制片３３のそれぞれ両側端から、第１回動規制片３２の左側ストッパ面３４ａ及び右側ストッパ面３４ｂまでのそれぞれのなす角度θａ、θｂが１３０度となるようにしている。
【００３４】
また、第２回動規制片３３の間隔保持部３３ｂの両側面には、第２付勢手段としてのトーションスプリングＳＰ２の巻端Ｔ１，Ｔ２が係合されている。トーションスプリングＳＰ２は、第２収容溝２１ｆに、間隔保持部３２ｂ，３３ｂの内側に位置するように設けられている。トーションスプリングＳＰ２の弾性力は、巻端Ｔ１，Ｔ２が共に対応する間隔保持部３３ｂの側面をそれぞれ弾圧する方向に作用する。
【００３５】
ハウジング２１の小径部２１ｃ及びフランジ部２１ｄには、摘み２６が外嵌支持されている。摘み２６は、図９に示すように、円筒体であって、貫通孔２６ａが形成されている。摘み２６は、小径部２１ｃ及びフランジ部２１ｄをその貫通孔２６ａに貫挿させることによって、ハウジング２１に対して回動可能かつ軸線方向に移動可能に支持されている。
【００３６】
貫通孔２６ａの略中央部内周面には、環状溝２６ｂが形成され、その環状溝２６ｂには、フランジ部２１ｄより小径部２１ｃ側に配置されるように第２係止用Ｃリング２７が嵌着されている。そして、第２係止用Ｃリング２７には、第３収容溝２１ｇに配設された、第１付勢手段としてのコイルスプリングＳＰ３の一端が、樹脂製の従動用Ｃリング２８を介して当接されている。一方、コイルスプリングＳＰ３の他端は、第３収容溝２１ｇの小径部２１ｃ側の段差面に当接されている。そして、コイルスプリングＳＰ３の弾性力によって、図３に示すように、摘み２６は、第２係止用Ｃリング２７がフランジ部２１ｄに当接する位置（非係合位置）に弾性保持される。反対に、コイルスプリングＳＰ３の弾性力に抗して摘み２６を扉１０側に押すと、摘み２６は、図４に示すように、ストッパ２４（第１係止用Ｃリング２５）に当接する位置（係合位置）まで移動する。
【００３７】
摘み２６の基端面には、第１作動片３５が扉１０側に向かって延出形成されている。第１作動片３５は、図１１（ａ）に示すように、前記トーションスプリングＳＰ２の巻端Ｔ１，Ｔ２間に配置される。従って、摘み２６は、同摘み２６から手を離した状態では、トーションスプリングＳＰ２の弾性力によって図１１（ａ）に示す位置（原回動位置）に保持される。
【００３８】
そして、摘み２６を原回動位置から時計回り方向にトーションスプリングＳＰ２の弾性力に抗して回動操作すると、摘み２６は、図１１（ｂ）に示すように、前記第１作動片３５が左側ストッパ面３４ａに当接する位置（作用位置）まで回動する。反対に、摘み２６を原回動位置から反時計回り方向にトーションスプリングＳＰ２の弾性力に抗して回動操作すると、摘み２６は、前記第１作動片３５が右側ストッパ面３４ｂに当接する位置（作用位置）まで回動する。つまり、摘み２６は、原回動位置から時計回り方向に１３０度の作用位置まで、原回動位置から反時計回り方向に１３０度の作用位置までそれぞれ回動操作させることができる。
【００３９】
尚、摘み２６は、ハウジング２１に対して回動可能かつ軸線方向に移動可能に支持された状態において、その基端側外周面が前記台座２３にてカバーされている。そして、台座２３から露出した摘み２６の先端外周縁は、図９に示すように、切り欠いて縁取り２６ｃが施されている。その縁取り２６ｃ部分の３箇所には、曲面形状の切り欠き凹部２６ｄが形成されている。つまり、指で摘み２６を摘み易くし、反対に工具等では把持し難い外形形状にしている。
【００４０】
また、図３に示すように、摘み２６は、その貫通孔２６ａの先端側の内周部に、貫通孔２６ａの内径より小径の環状突条２６ｅが形成されている。さらに、その環状突条２６ｅに隣接した貫通孔２６ａの内周面には、第２作動片３６が内周面に突出形成されている。図１０に示すように、貫通孔２６ａの内周面に形成された第２作動片３６の位置は、同摘み２６の中心軸を中心に前記第１作動片３５に対して１８０度の角度をなす位置に形成されている。
【００４１】
前記ハウジング２１には、図６に示すように、軸孔２１ｊが貫通形成され、軸孔２１ｊの基端には収容凹部２１ｋが拡開形成されている。軸孔２１ｊには、サムターン軸２９が回転可能に貫挿支持される。図８に示すように、サムターン軸２９は先端部にギア部２９ａが形成されている。ギア部２９ａは、サムターン軸２９が軸孔２１ｊに貫通されたとき、収容凹部２１ｋに配置され、前記錠ケース１１に設けられた図示しないデットボルト駆動機構と駆動連結される。そして、サムターン軸２９を回動させると、デットボルト駆動機構を介して、前記デットボルト１３を扉１０の側面１０ａに対して進退させ、扉１０を施錠又は解錠状態にする。
【００４２】
サムターン軸２９の基端部には、軸孔２１ｊの内径より大きい外径の軸頭２９ｂが形成され、その軸頭２９ｂは図３に示すようにフランジ部２１ｄと係合してハウジング２１から露出する。軸頭２９ｂは、図８に示すように円錐台形状に形成されており、その先端面には、塗料等により半円状に色分けされた表示部Ｈが形成されている。この表示部Ｈは、サムターン軸２９が施錠位置及び解錠位置のいずれにあるかを示すものである。
【００４３】
ハウジング２１から露出した軸頭２９ｂは、摘み２６の貫通孔２６ａに内在され、貫通孔２６ａに形成した前記環状突条２６ｅを介して摘み２６を回転可能かつ軸線方向に移動可能に支持している。従って、摘み２６は、前記した図３及び図４に示す非係合位置と係合位置との間の移動が可能になっている。
【００４４】
軸頭２９ｂは、前記ギア部２９ａ側外周面に従動片３８を突出形成している。
従動片３８は、デットボルト１３を進出させて扉１０が施錠状態にあるときは、図１０（ａ）に示す位置に配置されるようになっている。また、この施錠状態にあるとき、軸頭２９ｂの半円形状の表示部Ｈは、その直線部分が水平方向になるように配置される。すなわち、表示部Ｈの円弧状の部分が下側に向いている。
【００４５】
また、このとき、摘み２６が原回動位置にあるときは、中心軸を中心に摘み２６の第２作動片３６の一側面と従動片３８の一側面とのなす角度θｃが図１０（ａ）に示すように４０度の角度（遊び角度）となるように設定している。
【００４６】
そして、図１０（ａ）に示す位置から、サムターン軸２９を９０度時計回り方向に回動させると、デットボルト１３が後退し、扉１０は解錠するようになっている。図１０（ｂ）は扉１０が解錠状態のときの従動片３８の配置位置である。
そして、サムターン軸２９が、解錠位置にあるときは、前記軸頭２９ｂの表示部Ｈは、その直線部分が垂直方向となるように配置される。すなわち、表示部Ｈの円弧状の部分が左側を向くように配置されている。尚、従動片３８が図１０（ｂ）に示す位置にあって、摘み２６が原回動位置にあるとき、中心軸を中心に前記第２作動片３６の他側面と従動片３８の他側面とのなす角度は４０度の角度（遊び角度）となるように設定している。
【００４７】
軸頭２９ｂの従動片３８と、摘み２６の第２作動片３６は、図３に示すように、摘み２６が非係合位置にあるとき、軸線方向に相対偏倚している。従って、非係合位置にあるときに摘み２６を回転させても、第２作動片３６は従動片３８と係合しない。その結果、サムターン軸２９は回動しない。
【００４８】
また、図４に示すように、摘み２６が係合位置に案内されると、第２作動片３６は従動片３８と係合可能な位置に配置される。従って、係合位置にある摘み２６を原回動位置から時計回り又は反時計回り方向に回動させるとき、摘み２６は原回動位置から４０度（遊び角度）回動する位置（作用開始位置）まで従動片３８と係合しない。そして、作用開始位置から作用位置まで回動させると、第２作動片３６は従動片３８と係合して同従動片３８を回動させる。その結果、摘み２６を作用開始位置から作用位置に回動させることで、サムターン軸２９が摘み２６の回動する方向に回動する。
【００４９】
詳述すると、摘み２６が原回動位置にあって係合位置から、同摘み２６を時計回り方向又は反時計回り方向に回動操作して解錠又は施錠する場合、前記４０度の遊び角度があるため、原回動位置から１３０度の回動操作をさせる必要がある。また、施錠又は解錠操作が完了し、摘み２６を離すと、トーションスプリングＳＰ２及びコイルスプリングＳＰ３によって、摘み２６は回動位置から原回動位置まで復帰するとともに、軸線方向の位置が非係合位置まで復帰することになる。
【００５０】
前記軸頭２９ｂは、その基端部が先細に形成されていて、摘み２６が係合位置に操作されるとき、その基端面２９ｃが同摘み２６から露出されるようになっている。
【００５１】
次に、サムターン１２の作用について説明する。摘み２６が非係合位置にあるとき、摘み２６を時計回り又は反時計回り方向に回動させると、第２作動片３６と従動片３８とが係合しないため、サムターン軸２９は回転せず、摘み２６が空回りする。摘み２６を空回りさせた場合、摘み２６を離すと、トーションスプリングＳＰ２の弾性力により、摘み２６が回動方向と逆方向に回動して原回動位置に戻り、コイルスプリングＳＰ３の弾性力により非係合位置に配置される。このように、摘み２６を押圧かつ回動させないとサムターン軸２９が回転しないため、工具等ではサムターン軸２９を回動し難い。
【００５２】
施錠状態の扉１０を解錠する際は、まず、非係合位置にある摘み２６を、台座２３側に押圧し、係合位置まで移動させる。摘み２６が係合位置に配置されたとき、第２係止用Ｃリング２７が従動用Ｃリング２８を介してコイルスプリングＳＰ３を押圧し、大径部２１ａ側に圧縮している。サムターン軸２９は、図１０（ａ）に示す施錠位置にあり、第２作動片３６と従動片３８とは４０度離間した状態に配置されている。また、摘み２６の第１作動片３５は、図１１（ａ）に示すように、トーションスプリングＳＰ２の各巻端Ｔ１，Ｔ２に挟まれて配置されている。
【００５３】
原回動位置から、摘み２６を時計回り方向に４０度回動して作用開始位置まで移動させると、摘み２６の第２作動片３６がサムターン軸２９の従動片３８に係合する。このとき、摘み２６の第１作動片３５によって、トーションスプリングＳＰ２の巻端Ｔ１がばね軸中心に時計回りに回転しており、摘み２６は原回動位置に付勢された状態となっている。
【００５４】
ところで、摘み２６を押圧しつつ回転させる操作の際に押圧力及び回転力を解除すると、コイルスプリングＳＰ３及びトーションスプリングＳＰ２の弾性力により、摘み２６は軸線方向において非係合位置に移動し、周方向において原回動位置に戻される。このため、不正操作が試みられた際に、操作中に工具等が摘み２６から離れると、摘み２６は原回動位置かつ非係合位置に戻されるようになっている。従って、再び操作を行う際には初めから解錠操作を行う必要があり、時間がかかるため、不正な解錠操作が防止される。
【００５５】
作用開始位置から、さらに摘み２６を回転させると、第２作動片３６とサムターン軸２９の従動片３８との係合により、サムターン軸２９が時計回り方向に回動する。摘み２６を作用開始位置から９０度回動させて作用位置まで移動させると、図１０（ｂ）に示すように、サムターン軸２９は施錠位置から中心軸を中心に９０度回転し、解錠位置に配置される。その結果、サムターン軸２９の回動が、ギア部２９ａを介して図示しないデットボルト駆動機構に伝達され、デットボルト１３を錠ケース１１内に退行させる。このため、デットボルト１３は、扉枠の凹部から抜き出され、扉１０は解錠状態となる。また、図１１（ｂ）に示すように、摘み２６の第１作動片３５は、トーションスプリングＳＰ２の弾性力に抗して、第１作動片３５の原回動位置から時計回りに１３０度移動して左側ストッパ面３４ａに係合している。
【００５６】
摘み２６を押圧して、原回動位置から１３０度回転させた作用位置において押圧力及び回転力を解除すると、コイルスプリングＳＰ３及びトーションスプリングＳＰ２の弾性力により摘み２６は原回動位置かつ非係合位置に戻される。このとき、サムターン軸２９は解錠位置にあり、扉１０は解錠状態となっている。
【００５７】
解錠状態の扉１０を施錠状態にする際は、非係合位置にある摘み２６を台座２３側に押圧する。そして、摘み２６を反時計回りに４０度回動させると、摘み２６は作用開始位置に配置され、摘み２６の第２作動片３６がサムターン軸２９の従動片３８に係合する。このとき、サムターン軸２９は解錠位置にある。
【００５８】
摘み２６をさらに回転させると、第２作動片３６と従動片３８との係合により、サムターン軸２９が反時計回り方向に回転する。作用開始位置から、摘み２６を９０度反時計回りに回転させて作用位置に配置すると、サムターン軸２９は解錠位置から反時計回りに９０度回転し、施錠位置に配置される。このサムターン軸２９の回動は、ギア部２９ａを介してデットボルト駆動機構に伝達され、デットボルト１３が錠ケース１１から突出される。突出したデットボルト１３は扉枠の凹部に嵌挿され、扉１０が施錠状態となる。
【００５９】
そして、作用位置にある摘み２６から押圧力及び回転力を解除すると、トーションスプリングＳＰ２及びコイルスプリングＳＰ３の弾性力により摘み２６は原回動位置かつ非係合位置に戻される。このとき、サムターン軸２９は施錠位置に配置されている。
【００６０】
第１の実施形態によれば、以下のような効果を得ることができる。
（１）第１の実施形態では、施錠又は解錠操作の際には、摘み２６をコイルスプリングＳＰ３の弾性力に抗して、非係合位置から軸線方向に係合位置に移動させるようにした。そして、摘み２６を係合位置に移動させた状態で、トーションスプリングＳＰ２の付勢力に抗して原回動位置から作用位置まで回動させることで、従動片３８と第２作動片３６とを係合させ、サムターン軸２９を回動するようにした。
【００６１】
また、摘み２６が非係合位置にあるとき、摘み２６の第２作動片３６と、サムターン軸２９の従動片３８とは軸線方向に相対偏倚するようにした。このため、非係合位置にある摘み２６を、トーションスプリングＳＰ２の弾性力に抗して原回動位置から作用位置に回動させても、従動片３８と第２作動片３６とは係合しない。従って、摘み２６を係合位置に移動させた後に作用位置に回動させることで、はじめてサムターン軸２９を施錠又は解錠のために回動することができる。このため、工具等では解錠操作を行い難くなるため、不正操作を防止することができる。
【００６２】
（２）第１の実施形態では、摘み２６が係合位置かつ原回動位置にあるとき、第２作動片３６の一側面と、サムターン軸２９の従動片３８の一側面とがなす角度は、４０度の角度（遊び角度）となるようにした。このため、係合位置にある摘み２６を原回動位置から時計回り又は反時計回り方向に回動させるとき、摘み２６は原回動位置から４０度（遊び角度）回動する位置（作用開始位置）まで従動片３８と係合しない。従って、施錠状態にあるサムターン１２を解錠するには、４０度の遊び角度があるため、摘み２６を１３０度回動する必要がある。回動する角度が大きいと、工具等による解錠操作が難しくなる。このため、不正操作を防止することができる。
【００６３】
（３）第１の実施形態では、摘み２６の先端に縁取り２６ｃ及び切り欠き凹部２６ｄを形成した。このため、指で摘み２６を摘み易くし、反対に工具等では把持し難い外径形状とすることができる。
【００６４】
（４）第１の実施形態では、前記摘み２６から露出するサムターン軸２９の軸頭２９ｂに、表示部Ｈを形成したので、その表示部Ｈの配置状態によって施錠状態にあるか解錠状態にあるかを視認することができる。
【００６５】
（第２の実施形態）
次に、本発明を具体化した第２の実施形態を図１２〜図２１に従って説明する。尚、第２の実施形態は、第１の実施形態のサムターンの非押圧時の回動機構を変更したのみの構成であるため、同様の部分についてはその詳細な説明を省略する。図１２及び図１３は、扉１０に取り付けられたサムターン４０の断面図である。図１２は、摘み４６を押圧しないときのサムターン４０の断面図、図１３は摘み４６を押圧したときのサムターン４０の断面図である。図１４〜図１７は、図１３に示すサムターン４０の断面を示し、それぞれ、Ａ−Ａ線、Ｂ−Ｂ線、Ｃ−Ｃ線、及びＤ−Ｄ線における要部断面図である。
【００６６】
サムターン４０は、サムターン４０に設けられた摘み４６を扉１０側に押圧するとともに、時計回り方向又は反時計回り方向に回転させることによってデットボルト１３を進退させるようになっている。サムターン４０は、図１２に示すように、ハウジング４１、ガイド４２、係止リング４３、台座４４、摘み４６、サムターン軸４７、及び２本のピン４８を備えている。
【００６７】
ハウジング４１は、図１８に示すように、基端部４１ａと、基端部４１ａの一側面に形成された外筒部４１ｂ及び内筒部４１ｃとから構成されている。基端部４１ａには、一対の突起４１ｄが形成され、この突起４１ｄは錠ケース１１に嵌挿される。
【００６８】
外筒部４１ｂは、基端部４１ａの一側面に筒状に形成されている。外筒部４１ｂの開口側の側面には、同側面において部分的に突出した凸部４１ｅが形成されている。外筒部４１ｂの外周面であって、この凸部４１ｅのやや基端側には、係合溝４１ｆが外周面に沿って環状に形成されている。さらに、外筒部４１ｂの内壁面の基端部４１ａ側には、段差部４１ｇが形成されており、この段差部４１ｇは外筒部４１ｂの中心軸方向に向かって突出している。また、外筒部４１ｂの内径は、中央から外筒部４１ｂの先端までの内径よりも、段差部４１ｇの一端から中央までの内径ほうが小径になっている。そして、この小径の壁面によって、後述する摘み４６は摺動可能に支持されるようになっている。
【００６９】
内筒部４１ｃは、外筒部４１ｂの内側に筒状に形成されるとともに、小径部４１ｈと大径部４１ｉとから構成されている。大径部４１ｉは、基端部４１ａ側に形成され、小径部４１ｈは大径部４１ｉよりも先端に形成される。これらの小径部４１ｈ及び大径部４１ｉには、軸孔４１ｊが軸方向に貫通形成されており、基端部４１ａ側で拡開している。また、小径部４１ｈの先端側の２箇所には、ピン４８を嵌挿するための嵌挿穴４１ｋが形成されている。
【００７０】
図１２に示すように、この小径部４１ｈには、付勢手段及び第２の付勢手段を構成するトーションスプリングＳＰ４が嵌挿されている。トーションスプリングＳＰ４が嵌挿された小径部４１ｈの基端外周部には、ガイド４２が固定されている。このガイド４２は、図１９に示すように、筒部４２ａ、先端側環状部４２ｂ、基端側環状部４２ｃ、第１支持部４２ｄ、及び第２支持部４２ｅから構成されている。筒部４２ａには、ガイド４２が小径部４１ｈに嵌挿された際に、小径部４１ｈの嵌挿穴４１ｋと軸方向において同じ位置に配置される嵌挿穴４２ｆが２箇所に形成されている。そして、このガイド４２がハウジング４１に固定された状態で、固定手段を構成する２本のピン４８が、図１５に示すように、ガイドの嵌挿穴４２ｆ及びハウジング４１の嵌挿穴４１ｋにそれぞれ貫通及び固着されている。
【００７１】
また、ガイド４２の先端側環状部４２ｂは、筒部４２ａの基端側に形成されており、筒部４２ａの外径よりも大きな外径を有している。この先端側環状部４２ｂの２箇所からは、先端側環状部４２ｂの略直交する方向に第１支持部４２ｄ、第２支持部４２ｅが延出されている。図１７に示すように、この第１支持部４２ｄは、第２支持部４２ｅに対して中心軸を中心に１８０度の位置に形成されている。摘み４６が回動されないときは、この第１支持部４２ｄには、トーションスプリングＳＰ４の巻端Ｔ３，Ｔ４が係合されている。このトーションスプリングＳＰ４の弾性力は、巻端Ｔ３，Ｔ４が第１支持部４２ｄの側面をそれぞれ弾圧する方向に作用する。また、図１７（ａ）に示すように、中心軸を中心に、第１支持部４２ｄの左側面４２ｇから第２支持部４２ｅの一側面までの角度θａ及び第１支持部４２ｄの右側面４２ｈから第２支持部４２ｅの他側面までの角度θｂは、それぞれ１３０度になるように設定している。
【００７２】
さらに、図１２に示すように、大径部４１ｉの小径部４１ｈ側の外周面には、係止リング４３が嵌挿されている。この係止リング４３は、一側面の端部がガイド４２の基端側環状部４２ｃに係合されており、ガイド４２側への移動が規制されている。係止リング４３と段差部４１ｇの基端との間には、第１付勢手段としての第１コイルスプリングＳＰ５が配設されている。この第１コイルスプリングＳＰ５は、円錐形状に形成されており、係止リング４３を、図１２に示すガイド４２と係合する位置に付勢している。そして、係止リング４３の前記側面が扉１０側（図１２中右方向）に押圧されると、図１３に示すように、その押圧力により第１コイルスプリングＳＰ５は基端部４１ａ側に圧縮され、係止リング４３は段差部４１ｇに当接する。
【００７３】
ハウジング４１の基端外周部には、台座４４が嵌挿されている。台座４４は、筒状に形成されており、内壁面に環状に突出形成されたばね受け部４４ａを備えている。また、ハウジング４１の外周面に設けられた係合溝４１ｆには、ストッパリング４５が嵌合されており、このストッパリング４５と前記ばね受け部４４ａとの間には、第２コイルスプリングＳＰ６が配設されている。この第２コイルスプリングＳＰ６によって、台座４４は扉１０側に弾性力が付与されている。
【００７４】
ガイド４２の筒部４２ａには、摘み４６が外嵌支持されている。この摘み４６は、図２０に示すように、円筒部４６ａと、把持部４６ｂとから構成されている。円筒部４６ａには、中央に貫通孔４６ｃが形成されている。摘み４６は、ガイド４２の筒部４２ａにその貫通孔４６ｃを外嵌させることによって、ハウジング４１に対して、周方向に回動可能かつ軸線方向に移動可能に支持されている。
【００７５】
円筒部４６ａの略中央部外周面には、係合凸部４６ｄが形成されている。この係合凸部４６ｄは、摘み４６が回動されない際、すなわち摘み４６が原回動位置に配置されたときには、図１６（ａ）に示すようにハウジング４１の凸部４１ｅに相対向する位置に配置される。係合凸部４６ｄの右側面４６ｎ及び左側面４６ｐは、中心軸を中心に凸部４１ｅの両側面となす角度θｄ，θｅが１３０度となるように設定される。
【００７６】
そして、摘み４６が反時計回り（又は時計回り方向）に１３０度回転されると、図１６（ｂ）に示すように、係合凸部４６ｄの右側面４６ｎ（又は左側面４６ｐ）は、ハウジング４１の凸部４１ｅの側面にそれぞれ係合される。これによって、摘み４６は、原回動位置から１３０度以上の回転が規制される。
【００７７】
また、図１２に示すように、円筒部４６ａの基端側は、摘み４６がハウジング４１に嵌挿された際に、係止リング４３の側面に当接する。このため、摘み４６は、係止リング４３を介して第１コイルスプリングＳＰ５に押圧され、係合凸部４６ｄとハウジング４１の先端とが離間した位置（非係合位置）に弾性保持される。反対に、第１コイルスプリングＳＰ５の弾性力に抗して、摘み４６を扉１０側に押すと、摘み４６は、図１３に示すように、係合凸部４６ｄがハウジング４１の先端に当接する位置（係合位置）まで移動する。
【００７８】
円筒部４６ａの内周面の基端側には、２箇所において第１作動片４６ｅ，４６ｆが形成されている。この第１作動片４６ｅの位置は、図１７に示すように、一方の第１作動片４６ｆに対して中心軸を中心に１８０度の位置になっている。第１作動片４６ｅは、図１７（ａ）に示すように、トーションスプリングＳＰ４の巻端Ｔ３，Ｔ４の間に配置される。従って、摘み４６は、同摘み４６から手を離した状態では、トーションスプリングＳＰ４の弾性力によって図１７（ａ）に示す位置（原回動位置）に保持される。
【００７９】
そして、摘み４６を、トーションスプリングＳＰ４の弾性力に抗して、原回動位置から反時計回りに回動操作すると、トーションスプリングＳＰ４の巻端Ｔ３は図１７（ａ）の位置から、ばね軸を中心に反時計回り方向に回動する。そして、例えば摘み４６が反時計回りに１３０度回動されたとき、図１７（ｂ）に示すように、巻端Ｔ３は、ガイド４２の第２支持部４２ｅの端部まで移動する。
【００８０】
また、貫通孔４６ｃの略中央部内周面には、内側に若干突出した環状のピン係合部４６ｇが形成されている。このピン係合部４６ｇの相対向する２箇所には、ピン４８を嵌合するための嵌合穴４６ｈが形成されており、この嵌合穴４６ｈは、先端側が開口している。固定手段を構成する各嵌合穴４６ｈは、摘み４６が押圧されないとき、すなわち摘み４６が非係合位置にあるときに、ハウジング４１等に固着された各ピン４８をそれぞれ嵌合可能な位置に形成されている。
【００８１】
すなわち、摘み４６が非係合位置にある場合に、図１２の鎖線に示すように、摘み４６の嵌合穴４６ｈにピン４８が嵌合される。これによって、摘み４６は回動不能になっている。摘み４６が押圧されて係合位置まで移動すると、図１３の鎖線に示すように、固定されたピン４８から嵌合穴４６ｈが抜出され、摘み４６は回動可能になる。
【００８２】
摘み４６の把持部４６ｂは、円筒部４６ａの外周部に形成されており、扉１０側へ向かって拡開させて形成されている。尚、摘み４６は、ハウジング４１に対して回動可能かつ軸線方向に移動可能に支持された状態において、その基端側外周部が前記台座４４をカバーしている。そして、台座４４から露出した把持部４６ｂの先端部の外周面には、第１実施形態と同様に縁取り（図示せず）が施されている。
【００８３】
さらに、摘み４６はその貫通孔４６ｃの先端側の内周部に、貫通孔４６ｃの内径より小径の環状突条４６ｉが形成されている。さらに、この環状突条４６ｉの先端部側には、円弧状の第２作動片４６ｊが突出形成されている。係合手段を構成する第２作動片４６ｊは、図１４に示すように貫通孔４６ｃ側に突出している。
【００８４】
前記ハウジング４１の軸孔４１ｊには、サムターン軸４７が回動可能に嵌挿支持される。図２１に示すように、サムターン軸４７には、その先端部にギア部４７ａが形成されている。ギア部４７ａは、サムターン軸４７が軸孔４１ｊに貫通されたとき、基端部４１ａの拡開された凹部に配置され、図示しないデットボルト駆動機構と駆動連結される。
【００８５】
サムターン軸４７の基端部には、軸孔４１ｊの内径より大きい外径の軸頭４７ｂが形成されている。軸頭４７ｂは、円錐台形状に形成されており、摘み４６の先端から露出する。軸頭４７ｂよりもギア部４７ａ側には、係合手段を構成する従動片４７ｃが突出形成されている。従動片４７ｃは、扇形状に形成されており、デットボルト１３を進出させて扉１０が施錠状態にあるときは、図１４（ａ）に示す施錠位置に配置されるようになっている。また、扉１０が施錠状態にあるとともに、摘み４６が原回動位置にあるときは、中心軸を中心に摘み４６の第２作動片４６ｊの一側面と、従動片４７ｃの一側面とのなす角度θｃが図１４（ａ）に示すように４０度の角度（遊び角度）になるように設定している。
【００８６】
そして、図１４（ａ）に示す施錠位置から、サムターン軸４７を９０度反時計回り方向に回動させると、デットボルト１３が後退し、扉１０は解錠するようになっている。図１４（ｂ）は、サムターン軸４７の解錠位置であって、解錠位置とは扉１０が解錠状態にあるときのサムターン軸４７の配置位置である。尚、従動片４７ｃが解錠位置にあって、摘み４６が原回動位置にあるとき、中心軸を中心に前記第２作動片４６ｊの他側面と従動片４７ｃの他側面とのなす角度は４０度の角度（遊び角度）となるように設定している。
【００８７】
次に、サムターン４０の作用について説明する。摘み４６が押圧されていないとき、すなわち摘み４６が非係合位置にあるときは、図１２に示すように、摘み４６の嵌合穴４６ｈにピン４８が嵌合されている。このため、摘み４６が押圧されていないときに、摘み４６を時計回り方向又は反時計回り方向に回動させて操作を試みても、摘み４６は回動しない。従って、摘み４６が軸線方向において非係合位置にあるときには、摘み４６は回動することがなく、摘み４６を押圧して係合位置に移動させた場合にのみ、摘み４６の回動操作が行われる。
【００８８】
施錠状態の扉１０を解錠する際は、まず、非係合位置にある摘み４６を、扉１０側に押圧し、係合位置まで移動させる。摘み４６が係合位置まで配置されたとき、図１３に示すように、摘み４６の係合凸部４６ｄがハウジング４１の先端に当接する。そして、摘み４６の基端側が係止リング４３を介して、第１コイルスプリングＳＰ５を圧縮する。このときサムターン軸４７は、図１４（ａ）に示す施錠位置にあり、従動片４７ｃと第２作動片４６ｊは４０度離間した状態に配置されている。また、摘み４６の第１作動片４６ｅは、トーションスプリングＳＰ４の巻端Ｔ３，Ｔ４に挟まれて配置している。
【００８９】
また、摘み４６が係合位置まで移動された際は、同摘み４６の嵌合穴４６ｈは、ハウジング４１側に固定されたピン４８から抜出されている。これにより、摘み４６は、回動可能である状態となる。
【００９０】
原回動位置から、摘み４６を反時計回り方向に４０度回動して、作用開始位置まで移動させると、摘み４６の第２作動片４６ｊがサムターン軸４７の従動片４７ｃに係合する。このとき、摘み４６の第１作動片４６ｅによって、トーションスプリングＳＰ４の巻端Ｔ３がばね軸中心に反時計回り方向に回転しており、摘み４６は原回動位置に弾性力を付与されている。
【００９１】
この操作の際に、押圧力及び回転力を解除すると、第１コイルスプリングＳＰ５及びトーションスプリングＳＰ４の弾性力により、摘み４６は軸線方向において非係合位置に移動し、周方向において原回動位置に回動する。すなわち、不正操作が試みられた際に、操作中に工具等が摘み４６から離れると、摘み４６は原回動位置かつ非係合位置に戻されるようになっている。
【００９２】
作用開始位置から、さらに摘み４６を回転させると、第２作動片４６ｊとサムターン軸４７の従動片４７ｃとの係合により、サムターン軸４７が反時計回り方向に回動する。摘み４６を作用開始位置から９０度回動させて作用位置まで移動させると、図１４（ｂ）に示すように、サムターン軸４７は施錠位置から中心軸を中心に９０度回転し、解錠位置に配置される。その結果、サムターン軸４７の回動が、ギア部４７ａを介して図示しないデットボルト駆動機構に伝達され、デットボルト１３を錠ケース１１内に退行させる。このため、扉１０は解錠状態になる。このとき、図１６（ｂ）に示すように、摘み４６の係合凸部４６ｄの右側面４６ｎは、原回動位置から反時計回り方向に１３０度回転して、ハウジング４１の凸部４１ｅの側面に当接している。また、図１７（ｂ）に示すように、摘み４６の第１作動片４６ｅは、トーションスプリングＳＰ４の弾性力に抗して、第１作動片４６ｅの原回動位置から反時計回り方向に１３０度移動している。
【００９３】
摘み４６を押圧するとともに、原回動位置から１３０度回動させた作用位置において押圧力及び回転力を解除すると、第１コイルスプリングＳＰ５及びトーションスプリングＳＰ４の弾性力により、摘み４６は、周方向に原回動位置に戻されるとともに、軸方向に非係合位置に戻される。このとき、サムターン軸４７は解錠位置にあり、扉１０は解錠状態となっている。
【００９４】
解錠状態の扉１０を施錠状態にする際は、非係合位置にある摘み４６を扉１０側に押圧する。そして、摘み４６を時計回り方向に４０度回転させると、摘み４６は作用開始位置に配置され、摘み４６の第２作動片４６ｊが従動片４７ｃに係合する。
【００９５】
摘み４６をさらに回転させると、第２作動片４６ｊと従動片４７ｃとの係合により、サムターン軸４７が時計回り方向に回転する。作用開始位置から、摘み４６を９０度時計回り方向に回転させて作用位置に配置すると、サムターン軸４７は解錠位置から時計回り方向に９０度回転し、施錠位置に配置される。このサムターン軸４７の回動は、ギア部４７ａを介してデットボルト機構に伝達され、デットボルト１３が錠ケース１１から突出される。これにより、扉１０は施錠状態になる。
【００９６】
そして、作用位置にある摘み４６から、押圧力及び回転力を解除すると、トーションスプリングＳＰ４及び第１コイルスプリングＳＰ５の弾性力により、摘み４６は周方向に原回動位置に戻されるとともに、軸方向に非係合位置に戻される。このとき、サムターン軸４７は施錠位置に配置されている。
【００９７】
従って、第２の実施形態によれば、第１の実施形態に記載の（２）及び（３）の効果に加えて以下の効果を得ることができる。
（５）第２の実施形態では、施錠又は解錠操作の際には、摘み４６を第１コイルスプリングＳＰ５の弾性力に抗して、非係合位置から軸線方向に係合位置に移動させるようにした。そして、摘み４６を係合位置に移動させた状態で、トーションスプリングＳＰ４の付勢力に抗して原回動位置から作用位置まで回動させることで、従動片４７ｃと第２作動片４６ｊとを係合させ、サムターン軸４７を回動するようにした。
【００９８】
また、摘み４６にピン係合部４６ｇを形成し、このピン係合部４６ｇに嵌合穴４６ｈを形成した。そして、摘み４６が非係合位置にあるときに、ハウジング４１側に固定されたピン４８を嵌合穴４６ｈに嵌合するようにした。また、摘み４６が押圧されて、係合位置まで移動された際には、嵌合穴４６ｈからピン４８が抜出されて、摘み４６が回動可能になるようにした。
【００９９】
このため、摘み４６が押圧されず、非係合位置にあるときは、ピン４８が嵌合穴４６ｈに嵌合されることにより摘み４６が回動不能に固定される。このため、摘み４６が押圧されないときに空回りすることがない。従って、ユーザに対して、摘みを空回りさせることで、施錠又は解錠操作を完了したと間違えて認識させることがない。また、工具等では解錠操作を行い難くなるため、不正操作を防止することができる。
【０１００】
なお、上記各実施形態は以下のように変更してもよい。
・上記各実施形態では、サムターン１２に、摘み２６を原回動位置に付勢するトーションスプリングＳＰ２と、非係合位置に付勢するコイルスプリングＳＰ３を配設した。そして、摘み２６を周方向に付勢する作用と、軸方向とに付勢する作用とが備えられるようにした。また、サムターン軸２９の従動片３８と原回動位置にある摘み２６の第２作動片３６とを、互いに離間させることで、遊び角度を設けた。そして、この遊び角度を設けたことで、摘み２６を遊び角度分回動させた後に、サムターン軸２９と係合する作用が備えられるようにした。
【０１０１】
これを、摘み２６を、サムターン軸２９に対して軸線方向に移動不能にして、回転可能に支持されるだけの構成にしてもよい。そして、摘み２６を付勢手段としてのトーションスプリングＳＰ２の付勢力に抗して原回動位置から作用位置まで回動させることで、係合手段としての従動片３８と第２作動片３６とを係合させて、サムターン軸２９を回動させるようにしてもよい。
【０１０２】
この場合でも、トーションスプリングＳＰ２の付勢力に抗して回動させる解錠動作をしなければならず、不正操作を防止することができる。また、摘み２６を回動して解錠する場合、遊び角度（４０度）があるため、摘み２６に対してその遊び角度を加えた余分な回動操作（１３０度）を行う必要がある。このため、前記実施形態と同様に、不正操作を防止することができる。しかも、この場合、摘み２６をサムターン軸２９に対して軸線方向に移動不能にしたので、コイルスプリングＳＰ３が不要となり、部品点数が削減でき、構造も簡単にすることができる。
【０１０３】
また、サムターン１２，４０において、摘み２６，４６を、付勢手段としてのトーションスプリングＳＰ２，ＳＰ４の付勢力に抗して回動させ施錠又は解錠する際の、遊び角度を設けないで実施してもよい。この場合、摘み２６，４６の遊び角度を加えた余分な回動操作はなくなるが、トーションスプリングＳＰ２，ＳＰ４の付勢力に抗して回動させる解錠操作をしなければならないので不正操作を防止することができる。
【０１０４】
さらにまた、前記した摘み２６，４６を回転可能に支持しただけの構成のサムターンにおいて、摘み２６を原回動位置側に付勢する付勢手段としてのトーションスプリングＳＰ２，ＳＰ４を省略し、遊び角度だけを設け、摘み２６，４６に対して遊び角度を加えた余分な回動操作を行って施錠又は解錠するように実施してもよい。
【０１０５】
この場合、トーションスプリングＳＰ２，ＳＰ４の付勢力に抗して回動させる解錠操作はなくなるが、摘み２６，４６に、その遊び角度を加えた余分な回動操作をしなければ解錠できないので、不正操作を防止することができる。
【０１０６】
・第１の実施形態では、扉１０を解錠するときにサムターン１２の摘み２６を時計回り方向に回し、施錠するときに摘み２６を反時計回り方向に回すようにした。これを、解錠するときに摘み２６を反時計回りに回転させ、施錠するときに時計回りに回すようにしてもよい。
【０１０７】
・第２の実施形態では、扉１０を解錠するときにサムターン４０の摘み４６を反時計回り方向に回し、施錠するときに摘み４６を時計回り方向に回すようにした。これを、解錠するときに摘み４６を時計回りに回転させ、施錠するときに反時計回りに回すようにしてもよい。
【０１０８】
・第１の実施形態では、サムターン１２が施錠状態及び解錠状態のいずれにあるかを示す、半円形状の表示部Ｈをサムターン軸２９の軸頭２９ｂに形成したが、この表示部Ｈを設けなくてもよい。又は、半円形状の表示部Ｈを、約９０度の中心角の扇形形状、矢印等の表示等にしてもよく、要はサムターン軸２９が施錠位置及び解錠位置のいずれにあるかを外部から認識できればよい。
【０１０９】
・上記各実施形態では、摘み２６，４６を略円筒形状に形成したが、これ以外の形状でもよい。例えば、中央孔を有した断面略コ字状の円柱形状に形成したり、球形に形成してもよく、要はサムターン軸２９，４７及びハウジング２１，４１を嵌挿する孔を有していればよい。
【０１１０】
・上記各実施形態では、摘み２６，４６が原回動位置にあるときに、第２作動片３６，４６ｊと従動片３８，４７ｃとの間に、周方向において４０度の遊び角度を設けた。そして、摘み２６，４６を１３０度反時計回り又は時計回り方向に回動させることによって、施錠又は解錠させるようにした。しかし、遊び角度は４０度に限定されることはなく適宜変更して実施してもよい。因みに、遊び角度が大きいと回動する量が大きくなるため不正操作がし難くなる。また、反対に遊び角度を設けないで実施してもよい。
【０１１１】
・上記各実施形態では、前記摘み２６，４６は、非係合位置から係合位置に操作する場合、コイルスプリングＳＰ３，第１コイルスプリングＳＰ５の弾性力に抗して扉１０側に押圧するように構成した。これを、摘み２６，４６を扉１０の反対側に引っ張るようにして、非係合位置から係合位置に操作するように構成してもよい。この場合、摘み２６，４６を扉１０側に弾性力を付与するようにコイルスプリングＳＰ３，第１コイルスプリングＳＰ５を配置するとともに、第２作動片３６，４６ｊと従動片３８，４７ｃの形成位置を軸線方向に反対側に形成する。
【０１１２】
・上記各実施形態では、摘み２６，４６を非係合位置側に付勢する第１付勢手段としてコイルスプリングを用いたが、コイルスプリングに限定されるものではなく、要は摘み２６を非係合位置に付勢する構成のものであるならばなんでもよい。
【０１１３】
・上記各実施形態では、摘み２６，４６を原回動位置に付勢する第２付勢手段としてトーションスプリングを用いたが、トーションスプリングに限定されるものではなく、要は摘み２６，４６を原回動位置に付勢する構成のものであるならばなんでもよい。
【０１１４】
・第２の実施形態では、サムターン軸４７又は摘み４６に、サムターン軸４７が施錠位置及び解錠位置のいずれにあるかを示す表示部を設けてもよい。
次に、上記実施形態及び別例から把握できる技術的思想について、それらの効果とともに以下に追記する。
【０１１５】
（ａ）請求項５に記載のサムターンにおいて、前記コイルスプリングは、前記摘みを前記錠ケースに対して離間する方向に弾性力を付与するように前記ハウジングに介挿されていることを特徴とするサムターン。
【０１１６】
従って、この（ａ）に記載の発明によれば、前記摘みを押圧すると係合位置に移動される。
（ｂ）  請求項４〜６、（ａ）のいずれか一つに記載のサムターンにおいて、前記摘みが前記非係合位置にあるときに、同摘みを前記原回動位置に固定する固定手段を備えることを特徴とするサムターン。
【０１１７】
従って、この（ｂ）に記載の発明によれば、摘み４６が非係合位置にあるとき、摘みは固定手段によって原回動位置に固定される。従って、摘み４６が非係合位置にあるときに、回動することがないため、非係合位置にある摘み４６を空回りさせることによって、施錠操作又は解錠操作を完了したと誤って認識させることがない。
【０１１８】
（ｃ）請求項１〜６、（ａ）、（ｂ）のいずれか一つに記載のサムターンにおいて、前記摘みの先端部に縁取りを施したことを特徴とするサムターン。
従って、この（ｂ）に記載の発明によれば、摘みの先端部に縁取りを施したので、工具で把持して押したり回転したりすることを難くすることができる。
【０１１９】
【発明の効果】
本発明によれば、不正操作を防止することができるサムターンを提供することができる。
【図面の簡単な説明】
【図１】第１の実施形態のサムターンの斜視図。
【図２】同サムターンの分解斜視図。
【図３】同サムターンの断面図。
【図４】同サムターンの断面図。
【図５】ハウジングの斜視図。
【図６】同ハウジングの断面図。
【図７】ストッパの斜視図。
【図８】サムターン軸の斜視図。
【図９】摘みの斜視図。
【図１０】サムターンの要部断面図を示し、（ａ）は摘みの回転前の位置を示し、（ｂ）は摘みの回転後の位置を示す。
【図１１】サムターンの要部断面図を示し、（ａ）は摘みの回転前の位置を示し、（ｂ）は摘みの回転後の位置を示す。
【図１２】第２の実施形態のサムターンの断面図。
【図１３】同サムターンの断面図。
【図１４】同サムターンの要部断面図を示し、（ａ）は摘みの回転前の位置を示し、（ｂ）は摘みの回転後の位置を示す。
【図１５】同サムターンの要部断面図を示し、（ａ）は摘みの回転前の位置を示し、（ｂ）は摘みの回転後の位置を示す。
【図１６】同サムターンの要部断面図を示し、（ａ）は摘みの回転前の位置を示し、（ｂ）は摘みの回転後の位置を示す。
【図１７】同サムターンの要部断面図を示し、（ａ）は摘みの回転前の位置を示し、（ｂ）は摘みの回転後の位置を示す。
【図１８】ハウジングの断面図。
【図１９】ガイドの斜視図。
【図２０】摘みの断面図。
【図２１】サムターン軸の斜視図。
【図２２】従来のサムターンの説明図。
【符号の説明】
１１…錠ケース、１２，４０…サムターン、２１，４１…ハウジング、２６，４６…摘み、２６ｃ…縁取り、２６ｄ…縁取りを構成する切り欠き凹部、２９，４７…サムターン軸、３５…第１作動片、３６，４６ｊ…係合手段を構成する第２作動片、３８，４７ｃ…係合手段を構成する従動片、Ｈ，表示部、ＳＰ２，ＳＰ４…第２付勢手段としてのトーションスプリング、ＳＰ３，ＳＰ５…第１付勢手段としてのコイルスプリング。
【図１】
2005060928.tif 000003
【図２】
2005060928.tif 000004
【図３】
2005060928.tif 000005
【図４】
2005060928.tif 000006
【図５】
2005060928.tif 000007
【図６】
2005060928.tif 000008
【図７】
2005060928.tif 000009
【図８】
2005060928.tif 000010
【図９】
2005060928.tif 000011
【図１０】
2005060928.tif 000012
【図１１】
2005060928.tif 000013
【図１２】
2005060928.tif 000014
【図１３】
2005060928.tif 000015
【図１４】
2005060928.tif 000016
【図１５】
2005060928.tif 000017
【図１６】
2005060928.tif 000018
【図１７】
2005060928.tif 000019
【図１８】
2005060928.tif 000020
【図１９】
2005060928.tif 000021
【図２０】
2005060928.tif 000022
【図２１】
2005060928.tif 000023
【図２２】
2005060928.tif 000024